(57)【要約】  本発明は、包装を機械的に破壊することによってしか開封できない、不正開封の跡がすぐに分かる閉包構造を設けた箱であって、当該箱が破壊された後に警報を発することができる箱を提供することを目的とする。当該箱（３００）には、少なくとも一つのサイドフラップ（１０８，１０８'，１０６，１０６'）を有する外れ止め（１０７，１０４）と、開口（１１１，１１３）と、が設けてあり、当該開口の幅は、前記外れ止めと、広げることのできる前記少なくとも一つのサイドフラップと、の幅よりも小さく、前記少なくとも一つのサイドフラップは、前記開口への挿入前に折り込むことが可能であり、前記外れ止め及び前記少なくとも一つのサイドフラップには少なくとも一つの導電材料の層が設けられている。
2013508228.tif 000002
【特許請求の範囲】
【請求項１】
警報センサー付きの箱（３００）における不正開封の跡がすぐに分かる閉包構造において、少なくとも一つのサイドフラップ（１０８，１０８'，１０６，１０６'）を有する外れ止め（１０７，１０４）と、開口（１１１，１１３）と、が設けてあり、
当該開口（１１１，１１３）の幅は、前記外れ止め（１０７，１０４）と、広げることのできる前記少なくとも一つのサイドフラップ（１０８，１０８'，１０６，１０６'）と、の幅よりも小さく、
前記少なくとも一つのサイドフラップ（１０８，１０８'，１０６，１０６'）は、前記開口（１１１，１１３）への挿入前に折り込むことが可能であり、
前記開口（１１１，１１３）に挿入した後に、前記少なくとも一つのサイドフラップ（１０８，１０８'，１０６，１０６'）を広げることが可能であり、そして、
前記外れ止め（１０７，１０４）及び前記少なくとも一つのサイドフラップ（１０８，１０８'，１０６，１０６'）には少なくとも一つの導電材料の層が設けられている、不正開封の跡がすぐに分かる閉包構造。
【請求項２】
請求項１に記載の不正開封の跡がすぐに分かる閉包構造において、前記外れ止め（１０７，１０４）は、ゴム、金属、又はプラスチック材料から成る固有の弾性を有する材料で構成されている、不正開封の跡がすぐに分かる閉包構造。
【請求項３】
請求項１に記載の不正開封の跡がすぐに分かる閉包構造において、導電材料の層は、塗料、インク、及び／又は薄膜として適用される、不正開封の跡がすぐに分かる閉包構造。
【請求項４】
請求項１から請求項３までのいずれか一項に記載の不正開封の跡がすぐに分かる閉包構造において、前記層はアクチュエータに接続可能である、不正開封の跡がすぐに分かる閉包構造。
【請求項５】
請求項１から請求項４までのいずれか一項に記載の不正開封の跡がすぐに分かる閉包構造において、前記層及び／又はアクチュエータは、ＲＦＩＤトランスポンダ（６１０）及び／又は警報報知装置である、不正開封の跡がすぐに分かる閉包構造。
【請求項６】
請求項１から請求項５までのいずれか一項に記載の不正開封の跡がすぐに分かる閉包構造において、第一の外れ止め（１０７）の少なくとも一つのサイドフラップ（１０８，１０８'，１０６，１０６'）には、折り目に沿って破断線（１１５，１１５'）が設けられており、初めて箱（３００）が開封されたとき、サイドフラップ（１０８，１０８'，１０６，１０６'）は箱（３００）の側壁と接触し合い、そしてサイドフラップ（１０８，１０８'，１０６，１０６'）が引き裂き稜線を越えて動かされたとき、所定の破断線（１１５，１１５'）に沿ってサイドフラップ（１０８，１０８'，１０６，１０６'）が引きちぎられる、不正開封の跡がすぐに分かる閉包構造。
【請求項７】
請求項１から請求項６までのいずれか一項に記載の不正開封の跡がすぐに分かる閉包構造において、前記少なくとも一つのサイドフラップは折り目の領域において丸みを帯びた角を有し、外れ止め（１０７，１０４）は折り目の領域において丸みを帯びた縁を有し、サイドフラップ（１０８，１０８'，１０６，１０６'）が所定の第一の又は第二の外れ止め（１０７，１０４）の中央に対して隣り合うように折り畳まれたときに、スムーズに挿入されるようにしている、不正開封の跡がすぐに分かる閉包構造。
【請求項８】
請求項１から請求項７までのいずれか一項に記載の不正開封の跡がすぐに分かる閉包構造において、サイドフラップ（１０８，１０８'，１０６，１０６'）の少なくとも一部と、所定の外れ止め（１０７，１０４）と、は、破断線を横断する導電材料により構成され、不正開封の跡がすぐに分かる閉包構造が壊されて、所定の外れ止め（１０７，１０４）から少なくとも一つのサイドフラップ（１０８，１０８'，１０６，１０６'）が引きちぎられたときに、警報が作動される、不正開封の跡がすぐに分かる閉包構造。
【請求項９】
請求項１から請求項８までのいずれか一項に記載の不正開封の跡がすぐに分かる閉包構造において、前記開口は、前記外れ止め（１０７，１０４）及び折り畳み可能なサイドフラップ（１０８，１０８'，１０６，１０６'）の材料の厚みよりも少なくとも大きい寸法を有する、不正開封の跡がすぐに分かる閉包構造。
【請求項１０】
警報センサー付きの少なくとも一つの不正開封の跡がすぐに分かる閉包構造が設けられている箱（３００）であって、第一の外れ止め（１０７）と、第二の外れ止め（１０４）と、請求項１に記載の少なくとも一つの開口と、を有し、当該箱（３００）の閉包は、接着剤を要することなく機械的に閉じることができ、当該閉包は、不正開封の跡がすぐに分かる閉包構造を破壊することによってのみ、開放することができる箱において、当該箱（３００）には、
少なくとも一つのサイドフラップ（１０８，１０８'）を有する第一の外れ止め（１０７）と、
当該第一の外れ止め（１０７）を挿入するための前記箱（３００）の第一の開口（１１１）と、が備えられ、
前記第一の外れ止め（１０７）の前記少なくとも一つのサイドフラップ（１０８，１０８'）は折り込み可能であり、
前記サイドフラップ（１０８，１０８'）を前記第一の開口（１１１）に挿入した後、前記箱（３００）の中で、材料の固有の弾性により、前記少なくとも一つのサイドフラップ（１０８，１０８'）を広げることが可能であり、そして、
前記第一の外れ止め（１０７，１０４）及び少なくとも一つのサイドフラップ（１０８，１０８'，１０６，１０６'）には少なくとも一つの導電材料の層が設けられている、箱（３００）。
【請求項１１】
請求項１０に記載の箱（３００）において、当該箱（３００）には、
少なくとも一つのサイドフラップ（１０６，１０６'）を有する第二の外れ止め（１０４）と、
第二の外れ止め（１０４）を挿入するための前記第一の外れ止め（１０７）に設けられた第二の開口（１１３）と、が備えられ、
前記第一の外れ止め（１０７）の前記少なくとも一つのサイドフラップ（１０８，１０８'）は折り込み可能であり、そして、
前記フラップを前記第一の開口（１１１）に挿入した後、前記箱（３００）の中で、材料の固有の弾性により、前記少なくとも一つのサイドフラップ（１０６，１０６'）を広げることが可能であり、そして、
前記第二の外れ止め（１０７，１０４）及び少なくとも一つのサイドフラップ（１０８，１０８'，１０６，１０６'）には少なくとも一つの導電材料の層が設けられている、箱（３００）。
【請求項１２】
請求項１１に記載の箱（３００）において、箱（３００）を折るための用紙（１００）が一枚の材料として設計されており、その一枚の材料には全てのフラップ及び外れ止めが備えられている、箱（３００）。
【請求項１３】
請求項１１から請求項１２までのいずれか一項に記載の箱（３００）において、前記第二の外れ止め（１０４）の前記少なくとも一つのサイドフラップは、相互結合により、不正開封の跡がすぐに分かる閉包構造における前記第一の外れ止め（１０７）をしっかりと固定している、箱（３００）。
【請求項１４】
請求項１１から請求項１３までのいずれか一項に記載の箱（３００）において、前記第二の外れ止め（１０４）の寸法は少なくとも前記第一の外れ止め（１０７）の寸法よりも小さい、箱（３００）。
【発明の詳細な説明】
【技術分野】
【０００１】
本発明は、警報センサー付きの箱における不正開封の跡がすぐに分かる閉包構造に関し、少なくとも一つのサイドフラップを有する外れ止めと、開口と、を設けたものである。
【背景技術】
【０００２】
先行技術においては、不正開封の跡がすぐに分かる閉包構造を備える箱の折り方が知られており、その箱の折り方においては、箱を折る過程の最終段階において閉包が糊付けされなければならなかった。あるいは、粘着ラベルや熱可塑性の接着糊により封印する箱の折り方が知られている。しかし、顧客の要求に応じて箱を個別に包装する場合、閉包を糊付けする追加の最終過程が必要なために、最終組立の過程が長引き、輸送により多くの費用がかかっていた。それ故に、接着剤を用いなくても不正開封の跡がすぐに分かる閉包構造を設けた箱が望まれていた。
【発明の概要】
【発明が解決しようとする課題】
【０００３】
本発明は、包装を機械的に破壊することによってしか開封できない、不正開封の跡がすぐに分かる閉包構造を設けた箱であって、当該箱が破壊された後に警報を発することができる箱を提供することを目的とする。
【課題を解決するための手段】
【０００４】
本発明によれば、この目的は、次の構成を備える警報センサー付きの箱における不正開封の跡がすぐに分かる閉包構造によって達成される。すなわち、当該箱には、少なくとも一つのサイドフラップを有する外れ止めと、開口と、が設けてあり、
当該開口の幅は、前記外れ止めと、広げることのできる前記少なくとも一つのサイドフラップと、の幅よりも小さく、
前記少なくとも一つのサイドフラップは、前記開口への挿入前に折り込むことが可能であり、
前記外れ止め及び前記少なくとも一つのサイドフラップには少なくとも一つの導電材料の層が設けられているのである。
【０００５】
本発明の実施の形態は、警報センサー付きの箱であって、少なくとも一つの不正開封の跡がすぐに分かる閉包構造が設けられている。すなわち、当該箱は、第一の外れ止めと第二の外れ止めを有し、少なくとも一つの開口を有している。当該箱の閉包は、接着剤を要することなく機械的に閉じることができ、当該閉包は、不正開封の跡がすぐに分かる閉包構造を破壊することによってのみ、開放することができる。当該箱には、
少なくとも一つのサイドフラップを有する第一の外れ止めと、
当該第一の外れ止めを挿入するための前記箱の第一の開口と、が備えられ、
前記第一の外れ止めの前記少なくとも一つのサイドフラップは折り込み可能であり、そして、
前記サイドフラップを前記第一の開口に挿入した後、前記箱の中で、材料の固有の弾性により、前記少なくとも一つのサイドフラップを広げることが可能であり、そして、
前記第一の外れ止め及び前記少なくとも一つのサイドフラップには少なくとも一つの導電材料の層が設けられているのである。
【０００６】
これに代えて、前記外れ止め又は少なくとも一つのサイドフラップには少なくとも一つの導電材料の層が設けられているものとすることができる。
【０００７】
本発明の着想は、不正開封の跡がすぐに分かる閉包構造を備えた箱を提供することにある。閉包の機構は、折り畳み式の箱の中に一旦外れ止めが挿入されて閉じ込められ、その中でサイドフラップが広がると、元に戻ることが出来ないようになっている。不正開封の跡がすぐに分かる閉包構造の不可逆性により、包装材料を明らかに破壊したような場合を除き、箱を再び開けることはできない。さらに、複数の外れ止めを組み合わせることにより、閉包時における板紙材料の剛性を高めることができる。このように、外れ止めを開けるためには、道具、すなわちナイフやハサミが必要となる。結果として、例えば輸送時や保管時等において箱を不正に開封することが困難となり、また、不正開封があった場合、直ちにそれがわかるようになる。第一の及び／又は第二の外れ止めの破断線や導電材料の層を成すそれぞれの面が破壊されたり、引きちぎられたりしたとき、電気的特性の変化が感知され、警報が発せられる。それにも関わらず、折り畳み式の箱に設けられた開口に外れ止めを挿入するときに、手動で当該外れ止めのサイドフラップを折り込むだけで、この不正開封の跡がすぐに分かる閉包構造を閉包することができる。このように、例えば顧客に特別な質やサービスを提供したい場合に、箱が明らかに破壊されていないということを証明することにより、輸送対象及び包装対象のオリジナリティーを保証することができる。
【０００８】
有利な実施形態においては、前記外れ止めは、ゴム、金属、又はプラスチック材料から成る固有の弾性を有する材料で構成されている。他の実施形態においては、固有の弾性を有する材料とは板紙である。有利なことに、この材料の弾性により、外れ止めのサイドフラップが箱の中において広がることが可能となる。複数の弾性を有する材料を組み合わせてもよいし、あるいは、弾性を有しない材料と弾性を有する材料とを組み合わせて構成してもよい。不正開封の跡がすぐに分かる閉包構造の不可逆性を達成するために適合するように、拡張性の特性に合わせて、弾性材料が選択され、当該弾性の特有の性質を支持するサイドフラップの形状が選択される。
【０００９】
有利な実施形態においては、導電材料の層は、塗料（色）、インク、及び／又は薄膜である。より有利には、当該層は、前記外れ止め及び少なくとも一つのサイドフラップの部分のみに塗布される塗料及び／又はインクである。板紙等の材料に導電材料の層を塗布しあるいは印刷するためのいくつかの方法が公知となっている。具体的な例としては、塗布される層は、銀あるいは銅の層とすることができ、その表面は被膜で覆われているものとすることができる。あるいは、塗布あるいは印刷される層として、黒鉛の層を適用することもできる。薄膜は、導電性の薄膜で構成することもできる。
【００１０】
有利な実施形態においては、前記層はアクチュエータに接続可能である。より有利には、当該アクチュエータはセンサー装置のような電気回路であり、導電層の電気的特性の変化を感知することができる。また、警報報知装置、あるいは、センサー装置と警報報知装置とを結合した装置のような、さらなる装置を、アクチュエータとして適用することができる。
【００１１】
有利な実施形態においては、前記層及び／又はアクチュエータは、ＲＦＩＤトランスポンダ及び／又は警報報知装置である。より有利には、アクチュエータは導電材料の層の電気的特性の変化を感知し、変化を記録し、あるいは警報報知装置を動作させるための警報をセンサー装置に発生させる電気回路である。警報は、例えば、警笛、ラウドスピーカー、閃光、あるいはトランスポンダ又はトランスミッタ、すなわちＲＦＩＤトランスポンダやその他のあらゆる警告を発するための装置へのシグナル等である。
【００１２】
有利な実施形態においては、第一の外れ止めの少なくとも一つのサイドフラップには、折り目に沿って破断線が設けられている。これにより、初めて箱が開封されたとき、サイドフラップは箱の側壁と接触し合い、そしてサイドフラップが引き裂き稜線を越えて動かされたとき、所定の破断線に沿ってサイドフラップが引きちぎられる。より有利には、一旦箱が開封されると、サイドフラップが引きちぎられるように構成してもよい。不正開封の跡がすぐに分かる閉包構造についてのいくつかの出願においては、一旦閉包が開封されたという事実は極めて重要であるが、開封は容易にできるものでなければならない。破断線は外れ止めを引くことにより開封を支持し、同時に、閉包のオリジナリティーについての情報を提供する。
【００１３】
有利な実施形態においては、前記少なくとも一つのサイドフラップは折り目の領域において丸みを帯びた角を有し、外れ止めは折り目の領域において丸みを帯びた縁を有する。これにより、サイドフラップが所定の第一の又は第二の外れ止めの中央に対して隣り合うように折り畳まれたときに、スムーズに挿入されるようにしている。
【００１４】
有利な実施形態においては、サイドフラップの少なくとも一部と、所定の外れ止めと、は、破断線を横断する導電材料により構成される。これは、不正開封の跡がすぐに分かる閉包構造が壊されて、所定の外れ止めから少なくとも一つのサイドフラップが引きちぎられたときに、警報を作動させることを可能とするためである。有利には、警報装置が閉包構造に接続され、閉包構造が壊されたときに警報を作動させることを可能としている。
【００１５】
有利な実施形態においては、前記開口は、外れ止め及び折り畳み可能なサイドフラップの材料厚よりも少なくとも大きい寸法を有する。
【００１６】
有利な実施形態においては、前記開口の幅は、少なくとも外れ止めの本体の幅よりも広く、また、外れ止めの本体に少なくとも一つのサイドフラップを含めた外れ止めの全体的な幅よりも狭い。
【００１７】
有利な実施形態においては、前記開口は、外れ止め及び折り畳み可能なサイドフラップの材料厚より少なくとも大きい寸法を有する。
【００１８】
有利な実施形態においては、箱には、
少なくとも一つのサイドフラップを有する第二の外れ止めと、
第一の外れ止めに設けられた、前記第二の外れ止めを挿入するための第二の開口と、が備えられ、
前記第一の外れ止めの前記少なくとも一つのサイドフラップは折り込み可能であり、
前記フラップを前記第一の開口に挿入した後、前記箱の中で、材料の固有の弾性により、前記少なくとも一つのサイドフラップを広げることが可能であり、そして、
前記第二の外れ止め及び前記少なくとも一つのサイドフラップには少なくとも一つの導電材料の層が設けられているのである。
【００１９】
これに代えて、前記第二の外れ止め又は少なくとも一つのサイドフラップには少なくとも一つの導電材料の層が設けられているものとすることができる。
【００２０】
有利な実施形態においては、箱を折るための用紙が一枚の材料として設計されており、その一枚の材料には全てのフラップ及び外れ止めが備えられている。
【００２１】
有利な実施形態においては、前記第二の外れ止めの前記少なくとも一つのサイドフラップは、相互結合により、不正開封の跡がすぐに分かる閉包構造における前記第一の外れ止めをしっかりと固定している。より有利には、この相互結合により、箱の権限なしでの開封に対し、さらなるセキュリティーを確保することができる。また、係る構造により、箱の閉包構造の機械的剛性が更に向上する。
【００２２】
有利な実施形態においては、第二の外れ止めの寸法は少なくとも第一の外れ止めの寸法よりも小さい。
【００２３】
本発明の更なる利点、特別な特徴、及び実際上の改良点は、下位の請求項、及び、図面を参照しての下記の好適な実施形態の提示から、探り出すことができる。
【図面の簡単な説明】
【００２４】
本発明のこれらの及び他の態様は、以下で説明する実施形態により明らかにされ、明瞭にされる。
【図１】一枚の板紙の概略図である。
【図２】サイドフラップを有する第一の及び第二の外れ止めの概略図である。
【図３】板紙を折って形成した箱において第一の外れ止めを折り返した状態の斜視図である。
【図４】板紙を折って形成した箱において第二の外れ止めのサイドフラップを折り込んで第一の外れ止めに挿入する状態を示す斜視図である。
【図５】板紙を折って形成した箱の内部を示す斜視図であり、広がったサイドフラップによって第一の及び第二の外れ止めが相互結合した状態を示す図である。
【図６】板紙を折って形成した箱の内部を示す斜視図であり、第一の外れ止めにＲＦＩＤトランスポンダを備えたものを示す図である。
【図７】板紙を折って形成した箱の内部を示す斜視図であり、第一の外れ止めに導電材料の層、材料、及びセンサー装置を備え、当該センサー装置はワイヤーで導電材料の層と接続しているものを示す図である。
【発明を実施するための形態】
【００２５】
本発明に係る箱３００は、不正開封の跡がすぐに分かる閉包構造により閉包したパッケージを有し、とりわけ高価なものや高品質のもの等の物理的郵便物を輸送するためのものである。
【００２６】
図１は、本発明に係る一枚の板紙１００の状態の箱３００を示している。
【００２７】
箱３００は、挿入タブ、外れ止め、及びフラップを備え、一目瞭然のとおり折って組立て形成される。こうして、例えば物理的郵便物やその他の物理的対象物の輸送等に用いられる多目的輸送用箱が容易に形成される。
【００２８】
本発明のこの実施形態においては、第一の外れ止め１０７と第二の外れ止め１０４が備えられ、それぞれ、第一の外れ止め１０７の場合にはサイドフラップ１０８，１０８'が、第二の外れ止め１０４の場合にはサイドフラップ１０６，１０６'が設けられている。外れ止め１０７，１０４及びサイドフラップ１０８，１０８'，１０６，１０６'には、導電材料の層が設けられている。材料は塗料（色）であってもよく、インクであってもよく、材料に塗布され、あるいは印刷されている。また、当該層は導電材料のフィルムであってもよく、薄片であってもよい。
【００２９】
第一の外れ止め１０７は一枚の板紙により構成され、一枚の板紙１００の一つの破片として切り取られて成る。第一の外れ止め１０７には、当該第一の外れ止め１０７の折り目と隣り合うように開口が設けられる。当該開口は、具体的には、折り目１１７の領域において外れ止めの厚みの３分の１を占める。しかし、第二の開口１１３は少なくとも第二の外れ止め１０４の厚みよりも大きい。これは、第一の開口１１１を通過させた後、箱の中においてサイドフラップ１０６，１０６'付きの第二の外れ止め１０４を受け止めるためである。
【００３０】
第二の外れ止め１０４は一枚の板紙により構成され、少なくとも一枚の板紙１００の一部の破片として切り取られる。第二の外れ止め１０４には、外れ止めの両側に、折り目１２７と隣り合うように２つの開口が設けられている。箱３００が組立てられたとき、切り取られた第二の外れ止め１０４は隣り合う部分である第一の開口１１１とともに第一の開口１１１を形成する。具体的には、当該第一の開口１１１の幅は少なくとも第一の外れ止め１０７の幅よりも広い。これは、箱を折った状態において、第一の開口１１１に挿入した後、箱３００の中でサイドフラップ１０８，１０８'付きの第一の外れ止め１０７を受け止めるためである。
【００３１】
第一の及び第二の外れ止め１０７，１０４は、ともに、内側の面と外側の面とを有する。当該外側の面は、折って組立てた紙箱３００の外側の面に等しく、そして当該外側の面の反対側が内側の面と定義される。
【００３２】
図３は、ヒンジ蓋３０５を有する箱３００を部分的に折って組立てた状態を示す図であり、箱３００の前面において第一の開口１１１に第一の外れ止め１０７を挿入することによりまさに閉じようとしている状態を示す図である。板紙材料の第一の外れ止め１０７の最初の挿入時においては、当該第一の外れ止め１０７の中途部において、折り目１１７のところで直角に曲げられていなければならない。折り目１１７は第二の開口１１３と隣り合い、当該第二の開口１１３には、第二の外れ止め１０４を望ましくは丸い頭の形で挿入され、及び外れ止めの本体となる。外れ止めの本体とは、追加のサイドフラップを除いた外れ止めの本体を指す。第一の外れ止め１０７には２つのサイドフラップ１０８，１０８'が設けられ、これらは曲線矢印３０１，３０１'に示すように、第一の外れ止め１０７の内側の面の中心に向かって折り込まれて、破線で示した折り込み位置となるように折り込まれる。そして、箱３００は、ヒンジ蓋３０５を折り込むとともにステップ３０３において第一の外れ止め１０７を第一の開口１１１に挿入することにより、閉包される。
【００３３】
第一の外れ止め１０７のサイドフラップ１０８，１０８'は、一旦第一の開口１１１に挿入されると、箱３００の中で広がる。これは、板紙材料の固有の弾性力に起因する。広がりを可能とするために、箱３００の中には空洞あるいは多少の空間が設けられて、第一の外れ止め１０７のサイドフラップ１０８，１０８'の広がりを可能としている。
【００３４】
図４は、第二の外れ止め１０４のサイドフラップ１０６，１０６'を第二の外れ止め１０４の内側の面に向かって折る折り方を示したものである。さらに、第二の外れ止め１０４は、望ましくは当該第二の外れ止め１０４の中途部において折り目１２７のところで折られる。そして、第二の外れ止め１０４は第二の開口１１３に挿入される。このとき、当該第二の開口１１３は、箱３００の第一の開口１１１及びヒンジ蓋３０５の折り目１２７と隣り合う。挿入された後は、第二の外れ止め１０４は箱３００の滑らかで平らな表面を構成する。サイドフラップ１０６，１０６'は、一旦箱３００の中に挿入された後は、材料の固有の弾性に起因して広がる。箱３００の中において、第一の及び第二の外れ止め１０７，１０４のサイドフラップの周囲には、サイドフラップ１０６，１０６'，１０８，１０８'が広がるために必要な空間が確保されていなければならない。
【００３５】
一旦サイドフラップ１０８，１０８'付きの第一の外れ止め１０７が箱３００の中に挿入されると、サイドフラップ１０８，１０８'が広がることにより、第一の外れ止め１０７が第一の開口１１１の周囲の箱３００の材料と組み合わされて相互に結合される。一旦第一の外れ止め１０７が挿入されると、サイドフラップ１０８，１０８'の広がりは元に戻せない。これは、ユーザーには、箱３００の内部において、サイドフラップ１０８，１０８'の広がりを元に戻すような行動を取ることはできないためである。それ故に、第一の外れ止め１０７はその位置から引き抜かれることがない。このように、ただ単に第一の外れ止め１０７を第一の開口１１１を介して引き抜くことによっては箱３００を再度開封することはできない。第一の外れ止め１０７を引き抜こうとすると、サイドフラップ１０８，１０８'により、箱３００の側壁に機械的せん断力が加わる。もし、ユーザーがただ単に第一の外れ止め１０７を引き抜くことによって箱３００を再度開封しようとしたら、結果として、第一の外れ止め１０７のサイドフラップ１０８，１０８'が引きちぎられるか、あるいは、折り箱３００の側壁が破損されることになるだろう。また、ハサミやナイフ等の道具を用いたとしても、第一の外れ止め１０７のサイドフラップ１０８，１０８'の広がりを元に戻すことはできない。箱３００を再度開封するための唯一の方法は、箱３００の側壁を破壊するか、あるいは外れ止めを破壊するかである。こうした場合、サイドフラップ１０８，１０８'がちぎり取られることにより、あるいは、第一の外れ止め１０７を破壊することにより、あるいは、第一の開口１１１が広げられることにより、第一の外れ止め１０７のサイドフラップ１０８，１０８'が当該開口を通り抜けられるようになる。上述したいずれの場合においても、不正開封の跡がすぐに分かる閉包構造が破壊され、あるいは箱３００の外側において多少の破損が生じる。これは、遠くからでも認識可能であり、容易に視認できる。
【００３６】
図５には、第一の外れ止め１０７の広がったサイドフラップ１０８，１０８'が示してあり、また、箱３００の内部において広がった第二の外れ止め１０４のサイドフラップ１０６，１０６'が示してある。また、第一の外れ止め１０７と第二の外れ止め１０４との相互結合が概略的に示してある。第一の外れ止め１０７について先に述べたように、サイドフラップ１０６，１０６'付きの第二の外れ止め１０４は第一の外れ止め１０７と組み合わされて相互に結合されている。上にも述べたように、ユーザーがただ単に第二の外れ止め１０４を引き抜くことによって箱３００を再度開封しようとしたら、結果として、第二の外れ止め１０４のサイドフラップ１０６，１０６'が引きちぎられるか、あるいは、第一の外れ止め１０７及び箱３００の側壁が破損されることになるだろう。
【００３７】
第二の外れ止め１０４に対して直角な第一の外れ止め１０７と、第二の外れ止め１０４と、が相互結合していることにより、箱３００を開けようとしていずれか一つの外れ止めを引っぱるときに要する機械的な力はとても大きいものとなる。さらに、外れ止めを成す材料が、閉包構造の領域の板紙材料を補強する。それ故に、箱を再度開封するときに必要となる力はとても大きいものとなる。
【００３８】
このように、ただ単に２つの外れ止めのうちのいずれかを引っ張ることによっては箱３００を再度開封することができない。箱３００の側壁を破壊したり、外れ止めを切り取ったりするための、ナイフやハサミ等の道具の使用が必要となる。遠くからでも、箱３００の破損を視認して明らかに認識することができる。
【００３９】
一つの実施形態においては、いずれの外れ止め１０７，１０４も、また、サイドフラップ１０８，１０８'，１０６，１０６'も、丸みを帯びた頂点を有するように構成されている。これにより、第一の外れ止め１０７及び第二の外れ止め１０４のそれぞれが、より容易に、箱３００に設けられたそれぞれの開口に挿入される。
【００４０】
固有の弾性を有する材料は板紙及び段ボールに限定するものではない。最適な弾性の広がりをするサイドフラップを備える外れ止めを設計するために用いられる、固有の弾性を有する材料が、当業者の頭に思い浮かべられ、選択される。これらの材料は、あらゆる種類のプラスチック材料、金属、ゴム等から選択される。
【００４１】
図６には、本発明の一実施形態であって、ＲＦＩＤトランスポンダ６１０が第一の外れ止め１０７とサイドフラップ１０８，１０８'とを横断するように設けられているものが示してある。この実施形態においては、ＲＦＩＤトランスポンダ６１０は第一の外れ止め１０７とサイドフラップ１０８，１０８'との間の折り目を横断するように配置されている。第一の外れ止め１０８が第一の開口１１１の引き裂き稜線を横断し、第一の外れ止め１０７が箱３００の中から引き抜かれたとき、サイドフラップ１０８，１０８'は破断線１２５，１２５'のところで機械的に引きちぎられる。この実施形態においては、ＲＦＩＤトランスポンダ６１０が破損する。これにより、ＲＦＩＤトランスポンダ６１０の電気的特性が変化する。特にこの場合においては、ＲＦＩＤトランスポンダ６１０の破損は共振周波数の変化を招く。それ故に、ＲＦＩＤトランスポンダ６１０からの特定のデューティ周波数が外で受け取られなくなる。箱３００の外に配置されたトランスポンダシステムは、第一の外れ止め１０７及びサイドフラップ１０８，１０８'の破損に起因する特定の共振周波数におけるＲＦＩＤトランスポンダ６１０からの応答の欠如を認識することができる。そして、このようにして、ディスパッチャー、移動通信装置、警報報知装置、あるいは他のあらゆる警報センターに警報を送信する。
【００４２】
さらに、一つの実施形態においては、サイドフラップは、引きちぎられることを可能とするために破断線が設けられているだけではなく、導電材料の層を有する例えば板紙のようなキャリア材料により構成される。これにより、外れ止めとサイドフラップとが電気的に接続される。サイドフラップを破断線のところで引きちぎるために外れ止めを引っ張って機械的応力を付与すると、電導体が破壊される。これは、それ自体が箱の中のセキュリティーシステムにおいて自動リモートあるいはローカルアラームを成している電気回路を途切れさせることにつながる。
【００４３】
図７に示してある外れ止め１０７及び２つのサイドフラップ１０８，１０８'の実施形態においては、サイドフラップ１０８，１０８'及び第一の外れ止め１０７の内側の面に導電材料の層が設けられている。当該導電材料の層は破断線１２５，１２５'を横断している。この実施形態においては、導電材料の層は２つの有形のワイヤーによって接触されている。２つの有形のワイヤーもまた、一枚の板紙１００の上に、プリントされたワイヤーとして、あるいは、導電材料の層として、配置されている。ワイヤーは、センサー装置７１０に接続され、当該センサー装置７１０は、サイドフラップ１０８，１０８'及び第一の外れ止め１０７に設けられた導電材料の層の電気的特性を検出する。例えば、第二の外れ止め１０７がその位置から引っぱられて、引き裂き稜線を越えて動かされると、サイドフラップ１０８，１０８'が第二の外れ止め１０７から引きちぎられて、ワイヤー７２０，７２０'と導電材料の層との間の電気回路が途切れる。これにより、センサー装置７１０は電気回路の途切れを検知し、警報装置を作動させる。その後、警報装置は、視認可能な態様で、あるいは可聴音として、あるいはＲＦシグナルとして、警報を発する。当該警報は、箱３００の外から検知することが可能である。
【００４４】
それ故に、センサー装置７１０は、視認可能な態様で、あるいは可聴音として、その他あらゆる態様の警報を発するあらゆる種類の警報装置に接続可能である。また、警報は、高周波電磁界ごとに送信される警報であってもよい。また、アンシエーターは、警報を能動的に送信するＨＦトランスミッタであってもよく、また、ＲＦＩＤトランスポンダ６１０であってもよい。
【００４５】
さらに、導電材料の層は、外れ止め１０７，１０４及びサイドフラップ１０８，１０８'，１０６，１０６'に導電材料の層として設けられるＲＦＩＤトランスポンダ６１０であってもよい。当該ＲＦＩＤトランスポンダ６１０は、外れ止め及び／又はサイドフラップ１０８，１０８'，１０６，１０６'が切り取られまたは破損されて外れ止めが除去されたときに破損される。電気伝導体の変化特性は、ＲＦＩＤトランスポンダ６１０の無線周波数特性に影響している。異なる電気的あるいは作動的特性を有するＲＦＩＤトランスポンダ６１０を容易に決定することができる。
【００４６】
また、例示のもの以外でも、同等の柔軟性のない材料と高い柔軟性のある材料との組み合わせであって、この技術の分野における当業者が容易に想到できるものでもよい。
【００４７】
さらに、サイドフラップ１０８，１０８'，１０６，１０６'は、非常に簡単に引きちぎられる破断線１１５，１１５'，１２５，１２５'を有するように構成してもよい。それぞれの外れ止めを箱３００のそれぞれの開口１１１，１１３から引き抜いたとき、当該破断線１１５，１１５'，１２５，１２５'のところでサイドフラップが容易に引きちぎられる。それぞれの外れ止め１０７，１０４から引きちぎられたサイドフラップ１０８，１０８'，１０６，１０６'は、箱３００の中に取り残されることとなる。破断線１１５，１１５'，１２５，１２５'は、材料に設けられた溝あるいはミシン目として認識され、材料はそれぞれの外れ止め１０７，１０４に隣り合う折り目に沿って切り取られる。さらに、サイドフラップ１０８，１０８'，１０６，１０６'を成す材料は、例えば所定の切り目や切り取り線を有する特別な形状を有するものであってもよい。こうすることにより、過剰の機械的応力がかかったときに、サイドフラップ１０８，１０８'，１０６，１０６'が取れて落ちることとなる。
【００４８】
図中及び先の説明の中で、本発明について詳細に解説し説明しているものの、これらの解説及び説明は、具体例であり、一例であり、本発明はこれに限定解釈されるべきものではない。すなわち、本発明は開示した実施形態に限定されるものではない。開示した実施形態の他のバリエーションについては、当業者が請求項に係る発明を実施することにより、あるいは図、明細書、及び従属請求項の調査、研究により、当業者により理解され、達成される。特許請求の範囲において、「により構成される」という語は、他の要素やステップを包含するものを排除しない。そして、不定冠詞「当該」等は、そのものが複数個含まれている場合を排除しない。表面上、ある手段が相互に異なる従属項に記載されていることは、これらの手段の組合せが有利に使用できないというものではない。特許請求の範囲に記載の参照符号は、その範囲を限定するものと解釈されるべきではない。
【符号の説明】
【００４９】
１００            折って組立て形成可能な板紙
１０４            第二の外れ止め
１０６，１０６'  第二の外れ止めのサイドフラップ
１０７            第一の外れ止め
１０８，１０８'  第一の外れ止めのサイドフラップ
１１１            第一の開口
１１３            第二の開口
１１５，１１５'  第一の外れ止めの破断線
１１７            折り目
１２５，１２５'  第二の外れ止めの破断線
１２７            折り目
２１０            第一の外れ止め及び第一の開口
２２０            第二の外れ止め及び第二の開口
３００            箱
３０１，３０１'  外れ止めを折っている状態
３０３            第一の外れ止めの挿入
３０５            ヒンジ蓋
５００            折り箱の内側を示す図
６１０            ＲＦＩＤトランスポンダ
７１０            センサー装置
７２０，７２０'  印刷した又は有形のワイヤー
【図１】
2013508228.tif 000003
【図２】
2013508228.tif 000004
【図３】
2013508228.tif 000005
【図４】
2013508228.tif 000006
【図５】
2013508228.tif 000007
【図６】
2013508228.tif 000008
【図７】
2013508228.tif 000009
【国際調査報告】
2013508228.tif 000010
2013508228.tif 000011
2013508228.tif 000012